(57)【要約】【課題】本発明は外出の使用に便利な茶入れカップを開示した。【解決手段】外出の使用に便利な茶入れカップは、カップ本体を含み、前記カップ本体の上端にはカップ蓋がねじ山によって連結され、前記カップ本体の上端には上に開口した水溝が設けられ、前記カップ蓋は前記水溝を閉じることができ、前記水溝の下端壁には第一水管が設けられ、本装置は、お茶葉の保管、淹れ、飲用などの一連の操作を実現でき、外出時にお茶を簡単に入れることができ、一日浸していたお茶を飲まなくてすみ、お茶の品質を向上させ、したがって良い食感と味でお茶を飲むことができる。【選択図】図１
2020175112.tif 000002
【特許請求の範囲】
【請求項１】
外出の使用に便利な茶入れカップであって、カップ本体を含み、前記カップ本体の上端にはカップ蓋がねじ山によって連結され、前記カップ本体の上端には上に開口した水溝が設けられ、前記カップ蓋は前記水溝を閉じることができ、前記水溝の下端壁には第一水管が設けられ、前記第一水管の左端には切替溝が設けられ、前記切替溝の右端壁には前記第一水管と相通した回転盤溝が設けられ、前記切替溝の下端壁には縦軸が回転できるように連結され、前記縦軸の上端には前記回転盤溝とスライドできるように連結される回転盤が固定的に連結され、前記回転盤の中には前記第一水管と相通した排水口が設けられ、前記縦軸の中端には第一傘歯車が固定的に設けられ、前記縦軸の下端にはトーションバネが固定的に設けられ、前記トーションバネの他端は前記切替溝の下端壁と固定的に連結され、前記切替溝の左端壁には横軸が回転できるように連結され、前記横軸の右端には前記第一傘歯車と噛み合う第二傘歯車が固定的に設けられ、前記横軸の左端の外周には歯車が固定的に設けられ、前記第一水管の下端壁には右に開口したスライド溝が設けられ、前記スライド溝の中にはフィルターが緊密的にスライドできるように連結され、前記フィルターの下端面には濾過網が設けられ、前記スライド溝の左端壁には作動チャンバが設けられ、前記作動チャンバの上下端壁には貫通したラックスライド溝が設けられ、前記ラックスライド溝の上端壁は前記切替溝と相通しており、前記作動チャンバの中には切替装置が設けられ、前記切替装置は前記回転盤の回転を制御でき、前記ラックスライド溝の下端壁には相通した可動チャンバが設けられ、前記可動チャンバの下端壁には底部溝が設けられ、前記可動チャンバの右端壁には止め板溝が設けられ、前記スライド溝の下端壁には前記止め板溝を貫通した第二水管が設けられ、前記第二水管は前記濾過網と相通でき、前記可動チャンバの中には前記第二水管の開閉を制御できる駆動装置が設けられ、前記第二水管の下端には右に開口した収集チャンバが設けられ、前記収集チャンバの上端壁には台形ブロック引掛り溝が設けられ、前記収集チャンバの中にはお茶を飲むことができる収集装置が設けられることを特徴とする外出の使用に便利な茶入れカップ。
【請求項２】
前記切替装置は前記カップ本体の左端面にスライドできるように取り付けられるフェザーキーを含み、前記フェザーキーの右端面には前記作動チャンバとスライドできるように連結される移動スライド板が固定的に連結され、前記移動スライド板の上下端面には前記作動チャンバと連結される切替ばねが対称的に設けられ、前記フェザーキーには左に開口したボタン溝が設けられ、前記ボタン溝の中にはボタンがスライドできるように連結され、前記ボタンと前記ボタン溝との間には上下に対称的なボタンばねが連結され、前記ボタンの右端面には前記移動スライド板とスライドできるように連結されるプッシュロッドが設けられ、前記移動スライド板の右端面には前記ラックスライド溝とスライドできるように連結される長ラックが固定的に連結され、前記長ラックは前記歯車と噛み合うことができ、前記プッシュロッドの右端は前記長ラックを貫通しており、且つ前記長ラックとスライドできるように連結され、前記プッシュロッドの右端は前記フィルターと当接でき、使用するとき、前記フェザーキーを上に押すと、前記長ラックは前記歯車と噛み合って前記歯車を回転連動させることができることを特徴とする請求項１に記載の外出の使用に便利な茶入れカップ。
【請求項３】
前記駆動装置は前記底部溝とスライドできるように連結される触発ロッドを含み、前記触発ロッドと前記底部溝との間には底部ばねが連結され、前記触発ロッドの上端には前記長ラックと当接できるプッシュ板が固定的に設けられ、前記プッシュ板の右端にはヒンジ連結板がヒンジで連結され、前記ヒンジ連結板の右端には前記止め板溝とスライドできるように連結される止め板がヒンジで連結され、使用するとき、前記長ラックは下方に移動すると、前記プッシュ板が連動して下に移動して前記ヒンジ連結板によって前記止め板を連動させて左に移動させ、これにより、前記第二水管が非閉塞になることを特徴とする請求項１に記載の外出の使用に便利な茶入れカップ。
【請求項４】
前記収集装置は前記収集チャンバとスライドできるように連結される小ティーカップを含み、前記小ティーカップの右端面にはハンドルが固定的に設けられ、前記ハンドルには上に開口した通し溝が設けられ、前記通し溝の前後端壁には連結軸が回転できるように連結され、前記連結軸には押圧板が固定的に連結され、前記ハンドルと前記小ティーカップとの中には前記前記通し溝と相通した移動溝が設けられ、前記移動溝の中には台形ブロックがスライドできるように連結され、前記台形ブロックと前記移動溝との間には復帰ばねが連結され、前記台形ブロックは前記台形ブロック引掛り溝とスライドできるように連結され、使用するとき、前記押圧板を手で押し下げ、これにより前記台形ブロックを連動させて下に移動させ、前記台形ブロックは前記台形ブロック引掛り溝から離脱し、このとき、前記ハンドルと前記小ティーカップとを手で引き出すことができることを特徴とする請求項１に記載の外出の使用に便利な茶入れカップ。
【発明の詳細な説明】
【技術分野】
【０００１】
本発明は水ガラス分野を取り上げて、具体的には外出の使用に便利な茶入れカップである。。
【背景技術】
【０００２】
現在、お茶を飲むのが中国の伝統的な食生活として、毎日多くの人がお茶を飲み、お茶の浸漬時間は通常数十秒であり、時間が長くなるとおいしくなくなり、外出してお茶を飲む時、お茶の葉をティーカップに入れるのであり、お茶を一日中に浸しており、それはお茶葉の食感と味に影響を与える。
【先行技術文献】
【特許文献】
【０００３】
【特許文献１】中国特許出願公開第109171385号明細書
【発明の概要】
【発明が解決しようとする課題】
【０００４】
本発明は外出の使用に便利な茶入れカップを提供し、既存技術にある上記の欠点を解消することを目的とする。
【課題を解決するための手段】
【０００５】
本発明の実施例：外出の使用に便利な茶入れカップは、カップ本体を含み、前記カップ本体の上端にはカップ蓋がねじ山によって連結され、前記カップ本体の上端には上に開口した水溝が設けられ、前記カップ蓋は前記水溝を閉じることができ、前記水溝の下端壁には第一水管が設けられ、前記第一水管の左端には切替溝が設けられ、前記切替溝の右端壁には前記第一水管と相通した回転盤溝が設けられ、前記切替溝の下端壁には縦軸が回転できるように連結され、前記縦軸の上端には前記回転盤溝とスライドできるように連結される回転盤が固定的に連結され、前記回転盤の中には前記第一水管と相通した排水口が設けられ、前記縦軸の中端には第一傘歯車が固定的に設けられ、前記縦軸の下端にはトーションバネが固定的に設けられ、前記トーションバネの他端は前記切替溝の下端壁と固定的に連結され、前記切替溝の左端壁には横軸が回転できるように連結され、前記横軸の右端には前記第一傘歯車と噛み合う第二傘歯車が固定的に設けられ、前記横軸の左端の外周には歯車が固定的に設けられ、前記第一水管の下端壁には右に開口したスライド溝が設けられ、前記スライド溝の中にはフィルターが緊密的にスライドできるように連結され、前記フィルターの下端面には濾過網が設けられ、前記スライド溝の左端壁には作動チャンバが設けられ、前記作動チャンバの上下端壁には貫通したラックスライド溝が設けられ、前記ラックスライド溝の上端壁は前記切替溝と相通しており、前記作動チャンバの中には切替装置が設けられ、前記切替装置は前記回転盤の回転を制御でき、前記ラックスライド溝の下端壁には相通した可動チャンバが設けられ、前記可動チャンバの下端壁には底部溝が設けられ、前記可動チャンバの右端壁には止め板溝が設けられ、前記スライド溝の下端壁には前記止め板溝を貫通した第二水管が設けられ、前記第二水管は前記濾過網と相通でき、前記可動チャンバの中には前記第二水管の開閉を制御できる駆動装置が設けられ、前記第二水管の下端には右に開口した収集チャンバが設けられ、前記収集チャンバの上端壁には台形ブロック引掛り溝が設けられ、前記収集チャンバの中にはお茶を飲むことができる収集装置が設けられる。
【０００６】
前記切替装置は前記カップ本体の左端面にスライドできるように取り付けられるフェザーキーを含み、前記フェザーキーの右端面には前記作動チャンバとスライドできるように連結される移動スライド板が固定的に連結され、前記移動スライド板の上下端面には前記作動チャンバと連結される切替ばねが対称的に設けられ、前記フェザーキーには左に開口したボタン溝が設けられ、前記ボタン溝の中にはボタンがスライドできるように連結され、前記ボタンと前記ボタン溝との間には上下に対称的なボタンばねが連結され、前記ボタンの右端面には前記移動スライド板とスライドできるように連結されるプッシュロッドが設けられ、前記移動スライド板の右端面には前記ラックスライド溝とスライドできるように連結される長ラックが固定的に連結され、前記長ラックは前記歯車と噛み合うことができ、前記プッシュロッドの右端は前記長ラックを貫通しており、且つ前記長ラックとスライドできるように連結され、前記プッシュロッドの右端は前記フィルターと当接でき、使用するとき、前記フェザーキーを上に押すと、前記長ラックは前記歯車と噛み合って前記歯車を回転連動させることができる。
【０００７】
前記駆動装置は前記底部溝とスライドできるように連結される触発ロッドを含み、前記触発ロッドと前記底部溝との間には底部ばねが連結され、前記触発ロッドの上端には前記長ラックと当接できるプッシュ板が固定的に設けられ、前記プッシュ板の右端にはヒンジ連結板がヒンジで連結され、前記ヒンジ連結板の右端には前記止め板溝とスライドできるように連結される止め板がヒンジで連結され、使用するとき、前記長ラックは下方に移動すると、前記プッシュ板が連動して下に移動して前記ヒンジ連結板によって前記止め板を連動させて左に移動させ、これにより、前記第二水管が非閉塞になる。
【０００８】
前記収集装置は前記収集チャンバとスライドできるように連結される小ティーカップを含み、前記小ティーカップの右端面にはハンドルが固定的に設けられ、前記ハンドルには上に開口した通し溝が設けられ、前記通し溝の前後端壁には連結軸が回転できるように連結され、前記連結軸には押圧板が固定的に連結され、前記ハンドルと前記小ティーカップとの中には前記前記通し溝と相通した移動溝が設けられ、前記移動溝の中には台形ブロックがスライドできるように連結され、前記台形ブロックと前記移動溝との間には復帰ばねが連結され、前記台形ブロックは前記台形ブロック引掛り溝とスライドできるように連結され、使用するとき、前記押圧板を手で押し下げ、これにより前記台形ブロックを連動させて下に移動させ、前記台形ブロックは前記台形ブロック引掛り溝から離脱し、このとき、前記ハンドルと前記小ティーカップとを手で引き出すことができる。
【発明の効果】
【０００９】
本発明の有益な効果は：本装置は、お茶葉の保管、淹れ、飲用などの一連の操作を実現でき、外出時にお茶を簡単に入れることができ、一日浸していたお茶を飲まなくてすみ、お茶の品質を向上させ、したがって良い食感と味でお茶を飲むことができる。
【図面の簡単な説明】
【００１０】
【図１】図１は本発明の外出の使用に便利な茶入れカップの全体構成概略図
【図２】図２は図１の中のＡ−Ａ方向の構成概略図
【図３】図３は図１の中のＢの局部拡大図
【図４】図４は図１の中のＣの局部拡大図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
本発明書（全ての添付の権利要求、要約および附図を含む）に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１３】
下記に図１〜４を合わせて本発明を詳しく説明する。説明を便利にさせるように、ここで後文に出る方位を下記の通りに規定する：下記の上下左右前後という方向は図１自身の投影関係の上下左右前後の方向と一致している。
【００１４】
図１〜４を参照し、本発明の実施例：外出の使用に便利な茶入れカップは、カップ本体２１を含み、前記カップ本体２１の上端にはカップ蓋２３がねじ山によって連結され、前記カップ本体２１の上端には上に開口した水溝２２が設けられ、前記カップ蓋２３は前記水溝２２を閉じることができ、前記水溝２２の下端壁には第一水管２７が設けられ、前記第一水管２７の左端には切替溝３６が設けられ、前記切替溝３６の右端壁には前記第一水管２７と相通した回転盤溝６５が設けられ、前記切替溝３６の下端壁には縦軸２４が回転できるように連結され、前記縦軸２４の上端には前記回転盤溝６５とスライドできるように連結される回転盤３８が固定的に連結され、前記回転盤３８の中には前記第一水管２７と相通した排水口３４が設けられ、前記縦軸２４の中端には第一傘歯車２５が固定的に設けられ、前記縦軸２４の下端にはトーションバネ２６が固定的に設けられ、前記トーションバネ２６の他端は前記切替溝３６の下端壁と固定的に連結され、前記切替溝３６の左端壁には横軸３７が回転できるように連結され、前記横軸３７の右端には前記第一傘歯車２５と噛み合う第二傘歯車６６が固定的に設けられ、前記横軸３７の左端の外周には歯車３５が固定的に設けられ、前記第一水管２７の下端壁には右に開口したスライド溝６７が設けられ、前記スライド溝６７の中にはフィルター２９が緊密的にスライドできるように連結され、前記フィルター２９の下端面には濾過網２８が設けられ、前記スライド溝６７の左端壁には作動チャンバ５１が設けられ、前記作動チャンバ５１の上下端壁には貫通したラックスライド溝５３が設けられ、前記ラックスライド溝５３の上端壁は前記切替溝３６と相通しており、前記作動チャンバ５１の中には切替装置１０１が設けられ、前記切替装置１０１は前記回転盤３８の回転を制御でき、前記ラックスライド溝５３の下端壁には相通した可動チャンバ６０が設けられ、前記可動チャンバ６０の下端壁には底部溝５６が設けられ、前記可動チャンバ６０の右端壁には止め板溝３０が設けられ、前記スライド溝６７の下端壁には前記止め板溝３０を貫通した第二水管３１が設けられ、前記第二水管３１は前記濾過網２８と相通でき、前記可動チャンバ６０の中には前記第二水管３１の開閉を制御できる駆動装置１０２が設けられ、前記第二水管３１の下端には右に開口した収集チャンバ３２が設けられ、前記収集チャンバ３２の上端壁には台形ブロック引掛り溝４０が設けられ、前記収集チャンバ３２の中にはお茶を飲むことができる収集装置１０３が設けられる。
【００１５】
前記切替装置１０１は前記カップ本体２１の左端面にスライドできるように取り付けられるフェザーキー６４を含み、前記フェザーキー６４の右端面には前記作動チャンバ５１とスライドできるように連結される移動スライド板４９が固定的に連結され、前記移動スライド板４９の上下端面には前記作動チャンバ５１と連結される切替ばね４８が対称的に設けられ、前記フェザーキー６４には左に開口したボタン溝６１が設けられ、前記ボタン溝６１の中にはボタン６３がスライドできるように連結され、前記ボタン６３と前記ボタン溝６１との間には上下に対称的なボタンばね６２が連結され、前記ボタン６３の右端面には前記移動スライド板４９とスライドできるように連結されるプッシュロッド５０が設けられ、前記移動スライド板４９の右端面には前記ラックスライド溝５３とスライドできるように連結される長ラック５２が固定的に連結され、前記長ラック５２は前記歯車３５と噛み合うことができ、前記プッシュロッド５０の右端は前記長ラック５２を貫通しており、且つ前記長ラック５２とスライドできるように連結され、前記プッシュロッド５０の右端は前記フィルター２９と当接でき、使用するとき、前記フェザーキー６４を上に押すと、前記長ラック５２は前記歯車３５と噛み合って前記歯車３５を回転連動させることができる。
【００１６】
前記駆動装置１０２は前記底部溝５６とスライドできるように連結される触発ロッド５８を含み、前記触発ロッド５８と前記底部溝５６との間には底部ばね５７が連結され、前記触発ロッド５８の上端には前記長ラック５２と当接できるプッシュ板５９が固定的に設けられ、前記プッシュ板５９の右端にはヒンジ連結板５５がヒンジで連結され、前記ヒンジ連結板５５の右端には前記止め板溝３０とスライドできるように連結される止め板５４がヒンジで連結され、使用するとき、前記長ラック５２は下方に移動すると、前記プッシュ板５９が連動して下に移動して前記ヒンジ連結板５５によって前記止め板５４を連動させて左に移動させ、これにより、前記第二水管３１が非閉塞になる。
【００１７】
前記収集装置１０３は前記収集チャンバ３２とスライドできるように連結される小ティーカップ３３を含み、前記小ティーカップ３３の右端面にはハンドル４５が固定的に設けられ、前記ハンドル４５には上に開口した通し溝４４が設けられ、前記通し溝４４の前後端壁には連結軸４３が回転できるように連結され、前記連結軸４３には押圧板４２が固定的に連結され、前記ハンドル４５と前記小ティーカップ３３との中には前記前記通し溝４４と相通した移動溝４６が設けられ、前記移動溝４６の中には台形ブロック３９がスライドできるように連結され、前記台形ブロック３９と前記移動溝４６との間には復帰ばね４７が連結され、前記台形ブロック３９は前記台形ブロック引掛り溝４０とスライドできるように連結され、使用するとき、前記押圧板４２を手で押し下げ、これにより前記台形ブロック３９を連動させて下に移動させ、前記台形ブロック３９は前記台形ブロック引掛り溝４０から離脱し、このとき、前記ハンドル４５と前記小ティーカップ３３とを手で引き出すことができる。
【００１８】
使用するとき、手でボタン６３を右に押し、それによってプッシュロッド５０が連動して右に移動し、フィルター２９を少し押し出し、その後、フィルター２９を手で取り出し、茶葉をフィルター２９の中に入れ、それからフィルター２９を元に戻し、それからカップ蓋２３をねじり外し、それから水溝２２に湯を入れ、お茶を飲むとき、フェザーキー６４を上に動かして長ラック５２を連動させて上に移動させ、これにより、歯車３５と、横軸３７と、第二傘歯車６６と、第一傘歯車２５と、縦軸２４と、回転盤３８とを回転連動させ、これにより、排水口３４は第一水管２７と連結し、湯は第一水管２７を通してフィルター２９の中に流れ込み、フィルター２９の中の茶葉を浸漬し、浸漬時間が経ったら、フェザーキー６４を下に押し、長ラック５２はプッシュ板５９を連動させて下に移動させ、ヒンジ連結板５５によって止め板５４を連動させて左に移動させ、これにより、前記第二水管３１が非閉塞になり、淹れたてのお茶は小ティーカップ３３の中に流れ込み、それから押圧板４２を手で押し下げ、台形ブロック３９を連動させて下に移動させ、台形ブロック３９は台形ブロック引掛り溝４０から離脱し、このとき、ハンドル４５と小ティーカップ３３を手で引き出すことができる。
【００１９】
本発明の有益な効果は：本装置は、お茶葉の保管、淹れ、飲用などの一連の操作を実現でき、外出時にお茶を簡単に入れることができ、一日浸していたお茶を飲まなくてすみ、お茶の品質を向上させ、したがって良い食感と味でお茶を飲むことができる。
【００２０】
以上に述べたのはただ本発明の具体的な実施方式で、しかし本発明の保護範囲はここに限らないである。全部の創造的な労働を通じなく思いついた変化と取替は本発明の保護範囲に蓋される。だから本発明の保護範囲は権利要求書が限定される保護範囲を標準とする。
【図１】
2020175112.tif 000003
【図２】
2020175112.tif 000004
【図３】
2020175112.tif 000005
【図４】
2020175112.tif 000006
【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
外出の使用に便利な茶入れカップであって、カップ本体を含み、前記カップ本体の上端にはカップ蓋がねじ山によって連結され、前記カップ本体の上端には上に開口した水チャンバが設けられ、前記カップ蓋は前記水チャンバを閉じることができ、前記水チャンバの下端壁には第一水管が設けられ、前記第一水管の左端には切替チャンバが設けられ、前記切替チャンバの右端壁には前記第一水管と相通した回転盤チャンバが設けられ、前記切替チャンバの下端壁には縦軸が回転できるように連結され、前記縦軸の上端には前記回転盤チャンバとスライドできるように連結される回転盤が固定的に連結され、前記回転盤の中には前記第一水管と相通した排水口が設けられ、前記縦軸の中端には第一傘歯車が固定的に設けられ、前記縦軸の下端にはねじりコイルばねが固定的に設けられ、前記ねじりコイルばねの他端は前記切替チャンバの下端壁と固定的に連結され、前記切替チャンバの左端壁には横軸が回転できるように連結され、前記横軸の右端には前記第一傘歯車と噛み合う第二傘歯車が固定的に設けられ、前記横軸の左端の外周には歯車が固定的に設けられ、前記第一水管の下端壁には右に開口したスライドチャンバが設けられ、前記スライドチャンバの中にはフィルターが緊密的にスライドできるように連結され、前記フィルターの下端面には濾過網が設けられ、前記スライドチャンバの左端壁には作動チャンバが設けられ、前記作動チャンバの上下端壁には貫通したラックスライドチャンバが設けられ、前記ラックスライドチャンバの上端壁は前記切替チャンバと相通しており、前記作動チャンバの中には切替装置が設けられ、前記切替装置は前記回転盤の回転を制御でき、前記ラックスライドチャンバの下端壁には相通した可動チャンバが設けられ、前記可動チャンバの下端壁には底部チャンバが設けられ、前記可動チャンバの右端壁には止め板チャンバが設けられ、前記スライドチャンバの下端壁には前記止め板チャンバを貫通した第二水管が設けられ、前記第二水管は前記濾過網と相通でき、前記可動チャンバの中には前記第二水管の開閉を制御できる駆動装置が設けられ、前記第二水管の下端には右に開口した収集チャンバが設けられ、前記収集チャンバの上端壁には台形ブロック引掛りチャンバが設けられ、前記収集チャンバの中にはお茶を飲むことができる収集装置が設けられることを特徴とする外出の使用に便利な茶入れカップ。
【請求項２】
前記切替装置は前記カップ本体の左端面にスライドできるように取り付けられるフェザーキーを含み、前記フェザーキーの右端面には前記作動チャンバとスライドできるように連結される移動スライド板が固定的に連結され、前記移動スライド板の上下端面には前記作動チャンバと連結される切替ばねが対称的に設けられ、前記フェザーキーには左に開口したボタンチャンバが設けられ、前記ボタンチャンバの中にはボタンがスライドできるように連結され、前記ボタンと前記ボタンチャンバとの間には上下に対称的なボタンばねが連結され、前記ボタンの右端面には前記移動スライド板とスライドできるように連結されるプッシュロッドが設けられ、前記移動スライド板の右端面には前記ラックスライドチャンバとスライドできるように連結される長ラックが固定的に連結され、前記長ラックは前記歯車と噛み合うことができ、前記プッシュロッドの右端は前記長ラックを貫通しており、且つ前記長ラックとスライドできるように連結され、前記プッシュロッドの右端は前記フィルターと当接でき、使用するとき、前記フェザーキーを上に押すと、前記長ラックは前記歯車と噛み合って前記歯車を回転連動させることができることを特徴とする請求項１に記載の外出の使用に便利な茶入れカップ。
【請求項３】
前記駆動装置は前記底部チャンバとスライドできるように連結される触発ロッドを含み、前記触発ロッドと前記底部チャンバとの間には底部ばねが連結され、前記触発ロッドの上端には前記長ラックと当接できるプッシュ板が固定的に設けられ、前記プッシュ板の右端にはヒンジ連結板がヒンジで連結され、前記ヒンジ連結板の右端には前記止め板チャンバとスライドできるように連結される止め板がヒンジで連結され、使用するとき、前記長ラックは下方に移動すると、前記プッシュ板が連動して下に移動して前記ヒンジ連結板によって前記止め板を連動させて左に移動させ、これにより、前記第二水管が非閉塞になることを特徴とする請求項１に記載の外出の使用に便利な茶入れカップ。
【請求項４】
前記収集装置は前記収集チャンバとスライドできるように連結される小ティーカップを含み、前記小ティーカップの右端面にはハンドルが固定的に設けられ、前記ハンドルには上に開口した通しチャンバが設けられ、前記通しチャンバの前後端壁には連結軸が回転できるように連結され、前記連結軸には押圧板が固定的に連結され、前記ハンドルと前記小ティーカップとの中には前記前記通しチャンバと相通した移動チャンバが設けられ、前記移動チャンバの中には台形ブロックがスライドできるように連結され、前記台形ブロックと前記移動チャンバとの間には復帰ばねが連結され、前記台形ブロックは前記台形ブロック引掛りチャンバとスライドできるように連結され、使用するとき、前記押圧板を手で押し下げ、これにより前記台形ブロックを連動させて下に移動させ、前記台形ブロックは前記台形ブロック引掛りチャンバから離脱し、このとき、前記ハンドルと前記小ティーカップとを手で引き出すことができることを特徴とする請求項１に記載の外出の使用に便利な茶入れカップ。
【手続補正２】
【補正対象書類名】明細書
【補正対象項目名】全文
【補正方法】変更
【補正の内容】
【発明の詳細な説明】
【技術分野】
【０００１】
本発明は水ガラス分野を取り上げて、具体的には外出の使用に便利な茶入れカップである。。
【背景技術】
【０００２】
現在、お茶を飲むのが中国の伝統的な食生活として、毎日多くの人がお茶を飲み、お茶の浸漬時間は通常数十秒であり、時間が長くなるとおいしくなくなり、外出してお茶を飲む時、お茶の葉をティーカップに入れるのであり、お茶を一日中に浸しており、それはお茶葉の食感と味に影響を与える。
【先行技術文献】
【特許文献】
【０００３】
【特許文献１】中国特許出願公開第109171385号明細書
【発明の概要】
【発明が解決しようとする課題】
【０００４】
本発明は外出の使用に便利な茶入れカップを提供し、既存技術にある上記の欠点を解消することを目的とする。
【課題を解決するための手段】
【０００５】
本発明の実施例：外出の使用に便利な茶入れカップは、カップ本体を含み、前記カップ本体の上端にはカップ蓋がねじ山によって連結され、前記カップ本体の上端には上に開口した水チャンバが設けられ、前記カップ蓋は前記水チャンバを閉じることができ、前記水チャンバの下端壁には第一水管が設けられ、前記第一水管の左端には切替チャンバが設けられ、前記切替チャンバの右端壁には前記第一水管と相通した回転盤チャンバが設けられ、前記切替チャンバの下端壁には縦軸が回転できるように連結され、前記縦軸の上端には前記回転盤チャンバとスライドできるように連結される回転盤が固定的に連結され、前記回転盤の中には前記第一水管と相通した排水口が設けられ、前記縦軸の中端には第一傘歯車が固定的に設けられ、前記縦軸の下端にはねじりコイルばねが固定的に設けられ、前記ねじりコイルばねの他端は前記切替チャンバの下端壁と固定的に連結され、前記切替チャンバの左端壁には横軸が回転できるように連結され、前記横軸の右端には前記第一傘歯車と噛み合う第二傘歯車が固定的に設けられ、前記横軸の左端の外周には歯車が固定的に設けられ、前記第一水管の下端壁には右に開口したスライドチャンバが設けられ、前記スライドチャンバの中にはフィルターが緊密的にスライドできるように連結され、前記フィルターの下端面には濾過網が設けられ、前記スライドチャンバの左端壁には作動チャンバが設けられ、前記作動チャンバの上下端壁には貫通したラックスライドチャンバが設けられ、前記ラックスライドチャンバの上端壁は前記切替チャンバと相通しており、前記作動チャンバの中には切替装置が設けられ、前記切替装置は前記回転盤の回転を制御でき、前記ラックスライドチャンバの下端壁には相通した可動チャンバが設けられ、前記可動チャンバの下端壁には底部チャンバが設けられ、前記可動チャンバの右端壁には止め板チャンバが設けられ、前記スライドチャンバの下端壁には前記止め板チャンバを貫通した第二水管が設けられ、前記第二水管は前記濾過網と相通でき、前記可動チャンバの中には前記第二水管の開閉を制御できる駆動装置が設けられ、前記第二水管の下端には右に開口した収集チャンバが設けられ、前記収集チャンバの上端壁には台形ブロック引掛りチャンバが設けられ、前記収集チャンバの中にはお茶を飲むことができる収集装置が設けられる。
【０００６】
前記切替装置は前記カップ本体の左端面にスライドできるように取り付けられるフェザーキーを含み、前記フェザーキーの右端面には前記作動チャンバとスライドできるように連結される移動スライド板が固定的に連結され、前記移動スライド板の上下端面には前記作動チャンバと連結される切替ばねが対称的に設けられ、前記フェザーキーには左に開口したボタンチャンバが設けられ、前記ボタンチャンバの中にはボタンがスライドできるように連結され、前記ボタンと前記ボタンチャンバとの間には上下に対称的なボタンばねが連結され、前記ボタンの右端面には前記移動スライド板とスライドできるように連結されるプッシュロッドが設けられ、前記移動スライド板の右端面には前記ラックスライドチャンバとスライドできるように連結される長ラックが固定的に連結され、前記長ラックは前記歯車と噛み合うことができ、前記プッシュロッドの右端は前記長ラックを貫通しており、且つ前記長ラックとスライドできるように連結され、前記プッシュロッドの右端は前記フィルターと当接でき、使用するとき、前記フェザーキーを上に押すと、前記長ラックは前記歯車と噛み合って前記歯車を回転連動させることができる。
【０００７】
前記駆動装置は前記底部チャンバとスライドできるように連結される触発ロッドを含み、前記触発ロッドと前記底部チャンバとの間には底部ばねが連結され、前記触発ロッドの上端には前記長ラックと当接できるプッシュ板が固定的に設けられ、前記プッシュ板の右端にはヒンジ連結板がヒンジで連結され、前記ヒンジ連結板の右端には前記止め板チャンバとスライドできるように連結される止め板がヒンジで連結され、使用するとき、前記長ラックは下方に移動すると、前記プッシュ板が連動して下に移動して前記ヒンジ連結板によって前記止め板を連動させて左に移動させ、これにより、前記第二水管が非閉塞になる。
【０００８】
前記収集装置は前記収集チャンバとスライドできるように連結される小ティーカップを含み、前記小ティーカップの右端面にはハンドルが固定的に設けられ、前記ハンドルには上に開口した通しチャンバが設けられ、前記通しチャンバの前後端壁には連結軸が回転できるように連結され、前記連結軸には押圧板が固定的に連結され、前記ハンドルと前記小ティーカップとの中には前記前記通しチャンバと相通した移動チャンバが設けられ、前記移動チャンバの中には台形ブロックがスライドできるように連結され、前記台形ブロックと前記移動チャンバとの間には復帰ばねが連結され、前記台形ブロックは前記台形ブロック引掛りチャンバとスライドできるように連結され、使用するとき、前記押圧板を手で押し下げ、これにより前記台形ブロックを連動させて下に移動させ、前記台形ブロックは前記台形ブロック引掛りチャンバから離脱し、このとき、前記ハンドルと前記小ティーカップとを手で引き出すことができる。
【発明の効果】
【０００９】
本発明の有益な効果は：本装置は、お茶葉の保管、淹れ、飲用などの一連の操作を実現でき、外出時にお茶を簡単に入れることができ、一日浸していたお茶を飲まなくてすみ、お茶の品質を向上させ、したがって良い食感と味でお茶を飲むことができる。
【図面の簡単な説明】
【００１０】
【図１】図１は本発明の外出の使用に便利な茶入れカップの全体構成概略図
【図２】図２は図１の中のＡ−Ａ方向の構成概略図
【図３】図３は図１の中のＢの局部拡大図
【図４】図４は図１の中のＣの局部拡大図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
本発明書（全ての添付の権利要求、要約および附図を含む）に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１３】
下記に図１〜４を合わせて本発明を詳しく説明する。説明を便利にさせるように、ここで後文に出る方位を下記の通りに規定する：下記の上下左右前後という方向は図１自身の投影関係の上下左右前後の方向と一致している。
【００１４】
図１〜４を参照し、本発明の実施例：外出の使用に便利な茶入れカップは、カップ本体２１を含み、前記カップ本体２１の上端にはカップ蓋２３がねじ山によって連結され、前記カップ本体２１の上端には上に開口した水チャンバ２２が設けられ、前記カップ蓋２３は前記水チャンバ２２を閉じることができ、前記水チャンバ２２の下端壁には第一水管２７が設けられ、前記第一水管２７の左端には切替チャンバ３６が設けられ、前記切替チャンバ３６の右端壁には前記第一水管２７と相通した回転盤チャンバ６５が設けられ、前記切替チャンバ３６の下端壁には縦軸２４が回転できるように連結され、前記縦軸２４の上端には前記回転盤チャンバ６５とスライドできるように連結される回転盤３８が固定的に連結され、前記回転盤３８の中には前記第一水管２７と相通した排水口３４が設けられ、前記縦軸２４の中端には第一傘歯車２５が固定的に設けられ、前記縦軸２４の下端にはねじりコイルばね２６が固定的に設けられ、前記ねじりコイルばね２６の他端は前記切替チャンバ３６の下端壁と固定的に連結され、前記切替チャンバ３６の左端壁には横軸３７が回転できるように連結され、前記横軸３７の右端には前記第一傘歯車２５と噛み合う第二傘歯車６６が固定的に設けられ、前記横軸３７の左端の外周には歯車３５が固定的に設けられ、前記第一水管２７の下端壁には右に開口したスライドチャンバ６７が設けられ、前記スライドチャンバ６７の中にはフィルター２９が緊密的にスライドできるように連結され、前記フィルター２９の下端面には濾過網２８が設けられ、前記スライドチャンバ６７の左端壁には作動チャンバ５１が設けられ、前記作動チャンバ５１の上下端壁には貫通したラックスライドチャンバ５３が設けられ、前記ラックスライドチャンバ５３の上端壁は前記切替チャンバ３６と相通しており、前記作動チャンバ５１の中には切替装置１０１が設けられ、前記切替装置１０１は前記回転盤３８の回転を制御でき、前記ラックスライドチャンバ５３の下端壁には相通した可動チャンバ６０が設けられ、前記可動チャンバ６０の下端壁には底部チャンバ５６が設けられ、前記可動チャンバ６０の右端壁には止め板チャンバ３０が設けられ、前記スライドチャンバ６７の下端壁には前記止め板チャンバ３０を貫通した第二水管３１が設けられ、前記第二水管３１は前記濾過網２８と相通でき、前記可動チャンバ６０の中には前記第二水管３１の開閉を制御できる駆動装置１０２が設けられ、前記第二水管３１の下端には右に開口した収集チャンバ３２が設けられ、前記収集チャンバ３２の上端壁には台形ブロック引掛りチャンバ４０が設けられ、前記収集チャンバ３２の中にはお茶を飲むことができる収集装置１０３が設けられる。
【００１５】
前記切替装置１０１は前記カップ本体２１の左端面にスライドできるように取り付けられるフェザーキー６４を含み、前記フェザーキー６４の右端面には前記作動チャンバ５１とスライドできるように連結される移動スライド板４９が固定的に連結され、前記移動スライド板４９の上下端面には前記作動チャンバ５１と連結される切替ばね４８が対称的に設けられ、前記フェザーキー６４には左に開口したボタンチャンバ６１が設けられ、前記ボタンチャンバ６１の中にはボタン６３がスライドできるように連結され、前記ボタン６３と前記ボタンチャンバ６１との間には上下に対称的なボタンばね６２が連結され、前記ボタン６３の右端面には前記移動スライド板４９とスライドできるように連結されるプッシュロッド５０が設けられ、前記移動スライド板４９の右端面には前記ラックスライドチャンバ５３とスライドできるように連結される長ラック５２が固定的に連結され、前記長ラック５２は前記歯車３５と噛み合うことができ、前記プッシュロッド５０の右端は前記長ラック５２を貫通しており、且つ前記長ラック５２とスライドできるように連結され、前記プッシュロッド５０の右端は前記フィルター２９と当接でき、使用するとき、前記フェザーキー６４を上に押すと、前記長ラック５２は前記歯車３５と噛み合って前記歯車３５を回転連動させることができる。
【００１６】
前記駆動装置１０２は前記底部チャンバ５６とスライドできるように連結される触発ロッド５８を含み、前記触発ロッド５８と前記底部チャンバ５６との間には底部ばね５７が連結され、前記触発ロッド５８の上端には前記長ラック５２と当接できるプッシュ板５９が固定的に設けられ、前記プッシュ板５９の右端にはヒンジ連結板５５がヒンジで連結され、前記ヒンジ連結板５５の右端には前記止め板チャンバ３０とスライドできるように連結される止め板５４がヒンジで連結され、使用するとき、前記長ラック５２は下方に移動すると、前記プッシュ板５９が連動して下に移動して前記ヒンジ連結板５５によって前記止め板５４を連動させて左に移動させ、これにより、前記第二水管３１が非閉塞になる。
【００１７】
前記収集装置１０３は前記収集チャンバ３２とスライドできるように連結される小ティーカップ３３を含み、前記小ティーカップ３３の右端面にはハンドル４５が固定的に設けられ、前記ハンドル４５には上に開口した通しチャンバ４４が設けられ、前記通しチャンバ４４の前後端壁には連結軸４３が回転できるように連結され、前記連結軸４３には押圧板４２が固定的に連結され、前記ハンドル４５と前記小ティーカップ３３との中には前記前記通しチャンバ４４と相通した移動チャンバ４６が設けられ、前記移動チャンバ４６の中には台形ブロック３９がスライドできるように連結され、前記台形ブロック３９と前記移動チャンバ４６との間には復帰ばね４７が連結され、前記台形ブロック３９は前記台形ブロック引掛りチャンバ４０とスライドできるように連結され、使用するとき、前記押圧板４２を手で押し下げ、これにより前記台形ブロック３９を連動させて下に移動させ、前記台形ブロック３９は前記台形ブロック引掛りチャンバ４０から離脱し、このとき、前記ハンドル４５と前記小ティーカップ３３とを手で引き出すことができる。
【００１８】
使用するとき、手でボタン６３を右に押し、それによってプッシュロッド５０が連動して右に移動し、フィルター２９を少し押し出し、その後、フィルター２９を手で取り出し、茶葉をフィルター２９の中に入れ、それからフィルター２９を元に戻し、それからカップ蓋２３をねじり外し、それから水チャンバ２２に湯を入れ、お茶を飲むとき、フェザーキー６４を上に動かして長ラック５２を連動させて上に移動させ、これにより、歯車３５と、横軸３７と、第二傘歯車６６と、第一傘歯車２５と、縦軸２４と、回転盤３８とを回転連動させ、これにより、排水口３４は第一水管２７と連結し、湯は第一水管２７を通してフィルター２９の中に流れ込み、フィルター２９の中の茶葉を浸漬し、浸漬時間が経ったら、フェザーキー６４を下に押し、長ラック５２はプッシュ板５９を連動させて下に移動させ、ヒンジ連結板５５によって止め板５４を連動させて左に移動させ、これにより、前記第二水管３１が非閉塞になり、淹れたてのお茶は小ティーカップ３３の中に流れ込み、それから押圧板４２を手で押し下げ、台形ブロック３９を連動させて下に移動させ、台形ブロック３９は台形ブロック引掛りチャンバ４０から離脱し、このとき、ハンドル４５と小ティーカップ３３を手で引き出すことができる。
【００１９】
本発明の有益な効果は：本装置は、お茶葉の保管、淹れ、飲用などの一連の操作を実現でき、外出時にお茶を簡単に入れることができ、一日浸していたお茶を飲まなくてすみ、お茶の品質を向上させ、したがって良い食感と味でお茶を飲むことができる。
【００２０】
以上に述べたのはただ本発明の具体的な実施方式で、しかし本発明の保護範囲はここに限らないである。全部の創造的な労働を通じなく思いついた変化と取替は本発明の保護範囲に蓋される。だから本発明の保護範囲は権利要求書が限定される保護範囲を標準とする。